(57)【要約】【課題】鏡像に表示画像を重畳表示したとしても、視認性に優れた表示を可能とする表示装置、表示方法およびプログラムを提供する。【解決手段】表示装置１００は、表示パネル１２０と、光反射透過部材と、画像取得部１１３と、表示制御部１１４と、を備える。表示パネル１２０は、画像を表示する。光反射透過部材は、表示パネル１２０に重ねて配置され、入射光の一部を反射し、他の一部を透過する。画像取得部１１３は、表示パネル１２０を視認するユーザから見て、表示画像を右にずらした右目用画像と、表示画像を左にずらした左目用画像と、を含む３次元画像データを取得する。表示制御部１１４は、画像取得部１１３で取得した３次元画像データが示す右目用画像と左目用画像とを表示パネル１２０に表示させる。表示パネル１２０における右目用画像と左目用画像との間のズレ量は、目の間隔の略２分の１である。【選択図】図３
2020098291.tif 000002
【特許請求の範囲】
【請求項１】
画像を表示する表示パネルと、
前記表示パネルに重ねて配置され、入射光の一部を反射し、他の一部を透過する光反射透過部材と、
右目用画像と、左目用画像と、を含む３次元画像データを取得する画像取得手段と、
前記画像取得手段で取得した前記３次元画像データが示す前記右目用画像と前記左目用画像とを前記表示パネルに表示させる表示制御手段と、を備え、
前記表示パネルにおける前記右目用画像と前記左目用画像との間のズレ量は、目の間隔の略２分の１である、
ことを特徴とする表示装置。
【請求項２】
前記画像取得手段は、前記表示パネルにおける表示画像を目の間隔の略４分の１右にずらした前記右目用画像と、前記表示パネルにおける前記表示画像を目の間隔の略４分の１左にずらした前記左目用画像と、を含む３次元画像データを取得する、
ことを特徴とする請求項１に記載の表示装置。
【請求項３】
ユーザの画像を撮像する撮像手段を有し、
前記表示制御手段は、前記撮像手段により撮像された撮像画像に関する情報に基づいて前記画像取得手段で取得した前記３次元画像データを表示する、
ことを特徴とする請求項１又は２に記載の表示装置。
【請求項４】
ユーザの画像を撮像する撮像手段と、
ユーザまでの距離を測定する距離測定手段と、
前記撮像手段で撮像したユーザの画像と、距離測定手段で測定したユーザまでの距離と、に基づいて、ユーザの目の間隔を取得する目の間隔取得手段と、
を備えることを特徴とする請求項１乃至３の何れか１項に記載の表示装置。
【請求項５】
ユーザの目の間隔を示す情報を受け付ける操作手段を備える、
ことを特徴とする請求項１乃至３の何れか１項に記載の表示装置。
【請求項６】
前記画像取得手段は、前記光反射透過部材に写る鏡像に重畳して表示するガイダンス情報を含む表示画像を取得する、
ことを特徴とする請求項１乃至５の何れか１項に記載の表示装置。
【請求項７】
画像を表示する表示パネルと、
前記表示パネルに重ねて配置され、入射光の一部を反射し、他の一部を透過する光反射透過部材と、
３次元画像データを取得する画像取得手段と、
前記画像取得手段で取得した前記３次元画像データが示す３次元画像を前記表示パネルに表示させる表示制御手段と、を備え、
前記画像取得手段は、前記光反射透過部材で生成され、ユーザにより知覚される鏡像の位置に結像する画像を有する３次元画像データを取得する、
ことを特徴とする表示装置。
【請求項８】
画像を表示する表示パネルと、
前記表示パネルに重ねて配置され、入射光の一部を反射し、他の一部を透過する光反射透過部材と、
を備える表示装置において、
右目用画像と、左目用画像と、を含む３次元画像データを取得する画像取得ステップと、
前記画像取得ステップで取得した前記３次元画像データが示す前記右目用画像と前記左目用画像とを前記表示パネルに表示させる表示制御ステップと、を備え、
前記表示パネルにおける前記右目用画像と前記左目用画像との間のズレ量は、目の間隔の略２分の１である、
ことを特徴とする表示方法。
【請求項９】
画像を表示する表示パネルと、
前記表示パネルに重ねて配置され、入射光の一部を反射し、他の一部を透過する光反射透過部材と、
を備える表示装置を制御するコンピュータを、
右目用画像と、左目用画像と、を含む３次元画像データを取得する画像取得手段、
前記画像取得手段で取得した前記３次元画像データが示す前記右目用画像と前記左目用画像とを前記表示パネルに表示させる表示制御手段、として機能させ、
前記表示パネルにおける前記右目用画像と前記左目用画像との間のズレ量は、目の間隔の略２分の１である、
ことを特徴とするプログラム。
【発明の詳細な説明】
【技術分野】
【０００１】
本発明は、表示装置、表示方法およびプログラムに関する。
【背景技術】
【０００２】
ハーフミラーと、ハーフミラーの背面側に配置されているディスプレイ装置を有するディスプレイ内蔵ミラー装置が特許文献１に開示されている。
【０００３】
特許文献１に開示されたディスプレイ内蔵ミラー装置は、ハーフミラーを鏡として利用するとともに、ディスプレイ装置により表示画像を表示する。
【先行技術文献】
【特許文献】
【０００４】
【特許文献１】特開２０１３−１３２０２９号公報
【発明の概要】
【発明が解決しようとする課題】
【０００５】
特許文献１に開示されたディスプレイ内蔵ミラー装置では、ハーフミラーに写る鏡像とディスプレイ装置により表示された表示画像とを重ねて見ると、鏡像に着目しているとき、両眼視差により鏡像に対する右目で見た表示画像の位置と左目で見た表示画像の位置とがずれて見える現象が生じる。一方、表示画像に着目しているとき、両眼視差により表示画像に対する右目で見た鏡像の位置と左目で見た鏡像の位置とがずれて見える現象が生じる。このため、両目で鏡に映る鏡像を見ると、ディスプレイ装置により鏡像に重畳表示された表示画像が２重に見える。従って、このディスプレイ内蔵ミラー装置は、鏡像に表示画像を重畳表示するときに視認性に劣るという問題がある。
【０００６】
本発明は、上記のような課題を解決するためになされたものであり、鏡像に表示画像を重畳表示したとしても、視認性に優れた表示を可能とする表示装置、表示方法およびプログラムを提供することを目的とする。
【課題を解決するための手段】
【０００７】
本発明の目的を達成するため、本発明に係る表示装置の一様態は、
画像を表示する表示パネルと、
前記表示パネルに重ねて配置され、入射光の一部を反射し、他の一部を透過する光反射透過部材と、
右目用画像と、左目用画像と、を含む３次元画像データを取得する画像取得手段と、
前記画像取得手段で取得した前記３次元画像データが示す前記右目用画像と前記左目用画像とを前記表示パネルに表示させる表示制御手段と、を備え、
前記表示パネルにおける前記右目用画像と前記左目用画像との間のズレ量は、目の間隔の略２分の１である、
ことを特徴とする。
【発明の効果】
【０００８】
本発明によれば、鏡像に表示画像を重畳表示したとしても、視認性に優れた表示を可能とする表示装置、表示方法およびプログラムを提供することができる。
【図面の簡単な説明】
【０００９】
【図１】本発明の実施の形態に係る表示装置を示す図である。
【図２】本発明の実施の形態に係る表示装置を示す断面図である。
【図３】本発明の実施の形態に係る表示装置の構成を示すブロック図である。
【図４】本発明の実施の形態に係る表示装置をユーザが視認したときの視線を示す図である。
【図５】本発明の実施の形態に係る表示装置が実行する表示処理を示すフローチャートである。
【図６】本発明の実施の形態に係る表示装置が実行する表示処理を説明する図である。
【図７】本発明の実施の形態に係る表示装置が実行する表示処理を説明する図である。
【図８】本発明の実施の形態に係る表示装置が実行する表示処理を説明する図である。
【図９】比較例に係る表示装置が実行する表示処理を説明する図である。
【発明を実施するための形態】
【００１０】
以下、本発明を実施するための形態に係る表示装置を図面を参照しながら説明する。
【００１１】
本実施の形態に係る表示装置１００は、図１に示すように、表示パネル１２０と、表示パネル１２０に重ねて配置されたハーフミラー（光反射透過部材）１３０と、撮像部１４０と、距離センサ（距離測定手段）１５０と、表示パネル１２０に重ねて配置された操作部１６０と、を備える。表示装置１００は、視認するユーザＵに対して、ユーザＵの鏡像ＭＩに重畳して、小顔エステ、笑顔マッサージ、メイク（化粧）等をガイダンスする表示画像ＤＩを表示パネル１２０に表示する。ユーザＵが、ハーフミラー１３０に写る鏡像ＭＩと表示パネル１２０に表示された表示画像ＤＩとを見たとき、鏡像ＭＩと表示画像ＤＩとを重畳してずれなく見ることができる。なお、表示パネル１２０の縦方向をＸ軸方向、横方向をＹ軸方向、厚み方向をＺ軸方向とする。
【００１２】
表示パネル１２０は、画像を表示するものであり、図２に示すように、バックライト１２１と、ＬＣＤ（Liquid Crystal Display）１２２と、レンチキュラーシート１２３と、を有する裸眼式の３次元ディスプレイである。バックライト１２１は、ＬＥＤ（Light Emitting Diode）と導光板とを有する。ＬＣＤ１２２は、Ｘ軸方向に延びる複数の左目用画素ライン１２２Ｌと、Ｘ軸方向に延びる複数の右目用画素ライン１２２Ｒと、を有する。左目用画素ライン１２２Ｌは、Ｘ軸方向に並んで設けられている複数の画素群を有し、この画素群は、１つの赤色画素と１つの青色画素と２つの緑色画素とを含む。右目用画素ライン１２２Ｒは、Ｘ軸方向に並んで設けられている複数の画素群を有し、この画素群は、１つの赤色画素と１つの青色画素と２つの緑色画素とを含む。後述する制御部１１０の制御により、左目用画素ライン１２２Ｌは、左目用画像ＤＬＩを表示し、右目用画素ライン１２２Ｒは、右目用画像ＤＲＩを表示する。レンチキュラーシート１２３は、２画素ライン毎にＸ軸方向に延びる断面Ｄ状の凸レンズが無数に並んだシートであり、バックライト１２１から放出され、左目用画素ライン１２２Ｌを通過した光を左目ＬＥに導き、右目用画素ライン１２２Ｒを通過した光を右目ＲＥに導くものである。これにより、左目用画素ライン１２２Ｌに表示された左目用画像ＤＬＩをユーザＵの左目ＬＥで、右目用画素ライン１２２Ｒに表示された右目用画像ＤＲＩを右目ＲＥで見ることができる。
【００１３】
ハーフミラー１３０は、表示パネル１２０に重ねて配置され、入射光の一部を反射し、他の一部を透過するものである。ハーフミラー１３０は、ガラス板、樹脂板などの透明板と、透明板の片面に配置された反射膜と、を有する。反射膜は、アルミニウム膜などの金属膜であり、入射光の一部を反射し、他の一部を透過する厚さに形成されたものである。ハーフミラー１３０は、入射光の一部を反射し、表示パネル１２０から放出された光を透過するため、ユーザＵがハーフミラー１３０を見ると、表示パネル１２０に表示された表示画像ＤＩと、自身の鏡像ＭＩを重畳して見ることができる。
【００１４】
図１に示す撮像部１４０は、カメラを有し、ユーザＵの画像を撮像し、撮像した画像を示す画像データを後述する制御部１１０に出力する。
【００１５】
距離センサ１５０は、ユーザＵまでの距離を測定し、測定した距離データを後述する制御部１１０に出力する。距離センサ１５０は、赤外線距離センサ、超音波距離センサなどから構成される。
【００１６】
操作部１６０は、ユーザＵの入力に基づいて、表示する表示画像ＤＩの選択情報、表示処理の開始、終了の指示などを受け付けるものである。なお、操作部１６０と表示パネル１２０とは、タッチパネルディスプレイ装置を構成する。
【００１７】
表示装置１００は、電気的構成として、図３に示すように、上述した表示パネル１２０と、撮像部１４０と、距離センサ１５０と、操作部１６０と、に加えて、制御部１１０と、を備える。
【００１８】
制御部１１０は、ＣＰＵ（Central Processing Unit）、ＲＯＭ（Read Only Memory）、ＲＡＭ（Random Access Memory）等から構成される。ＲＯＭは、フラッシュメモリ等の不揮発性メモリから構成され、制御部１１０が各種機能を実現するためのプログラム、ガイダンス情報に関するデータ等を記憶する。ＲＡＭは、揮発性メモリから構成され、制御部１１０が各種処理を行うためのプログラムを実行するための作業領域として用いられる。制御部１１０は、ＲＯＭに記憶されたプログラムを実行することにより、設定処理部１１１と、目の間隔取得部１１２と、画像取得部１１３と、表示制御部１１４として機能する。
【００１９】
設定処理部１１１は、表示制御部１１４を介して表示パネル１２０にガイダンスの内容を選択するための選択肢を含んだメニュー画像を表示する。また、設定処理部１１１は、メニューを参照したユーザＵから、操作部１６０を介して、ガイダンス情報の選択を受け付ける。ガイダンスの内容は、小顔エステ、笑顔マッサージ、メイク（化粧）等を含む。例えば、小顔エステの選択を受け付けると、小顔エステに関するガイダンスのために、表示処理が行われる。なお、小顔エステとは、例えば、リンパを流すマッサージにより顔のむくみを減少させるリンパマッサージ等を、ユーザＵがユーザＵ自身の顔等に対して行うことをいう。
【００２０】
目の間隔取得部１１２は、撮像部１４０により撮像されたユーザＵの画像と、距離センサ１５０により測定されたユーザＵまでの距離と、に基づいて、ユーザＵの目の間隔を取得する。目の間隔取得部１１２は、撮像部１４０により撮像された画像からユーザＵの目を抽出し、画像での目の間の距離を検出する。目の間隔取得部１１２は、検出された画像での目の間の距離と、距離センサ１５０により測定されたユーザＵまでの距離と、に基づいて、ユーザＵの目の間隔を示すデータを取得する。
【００２１】
画像取得部１１３は、設定処理部１１１で選択されたガイダンス情報を含む表示画像ＤＩを示すデータを取得し、表示画像ＤＩを基準量左にずらした左目用画像ＤＬＩと、表示画像ＤＩを基準量右にずらした右目用画像ＤＲＩと、を含む３次元画像データを取得する。基準量は、表示パネル１２０において、目の間隔取得部１１２により取得された目の間隔の略４分の１である。例えば、画像取得部１１３は、設定処理部１１１で小顔エステの選択を受け付けると、図１に示す小顔エステに関するガイダンスのための表示画像ＤＩを取得する。画像取得部１１３は、この表示画像ＤＩを基準量左にずらした左目用画像ＤＬＩと、表示画像ＤＩを基準量右にずらした右目用画像ＤＲＩと、を含む３次元画像データを取得する。
【００２２】
ユーザＵが、表示装置１００のハーフミラー１３０に写る自身の鏡像ＭＩを見たとき、左目ＬＥと右目ＲＥとの視線は、図４に示すように、鏡像ＭＩが見える位置Ａで交わる。ここで、ユーザＵから表示装置１００に垂直に交わる線を垂線ＭＬとし、垂線ＭＬと表示装置１００が交わる位置を位置Ｃとし、左目ＬＥと位置Ａを結んだ線と表示装置１００が交わる位置を位置Ｂとし、左目ＬＥの位置を位置Ｄとし、左目ＬＥと右目ＲＥとの中心を位置Ｅとする。∠ＢＡＣ＝∠ＤＡＥであり、∠ＢＣＡ＝∠ＤＥＡ＝９０°であるので、三角形ＡＢＣは、三角形ＡＤＥと相似形である。また、ユーザＵと表示装置１００の間の距離を、距離Ｌ１とし、ユーザＵと鏡像ＭＩとの間の視認距離を、距離Ｌ２とする。鏡像ＭＩはハーフミラー１３０で反射されたものであるので、距離Ｌ２＝２×距離Ｌ１となる。線分ＡＣ＝Ｌ２−Ｌ１＝２×Ｌ１−Ｌ１＝Ｌ１であり、線分ＡＥ＝Ｌ２＝２×Ｌ１であるので、線分ＡＢ＝１／２×線分ＡＤであり、三角形ＡＢＣの大きさは、三角形ＡＤＥの大きさの２分の１である。従って、線分ＣＢの長さは、線分ＥＤの長さの２分の１である。同様に、右目ＲＥと位置Ａを結んだ線と表示装置１００が交わる位置を位置Ｂ’とし、右目ＲＥの位置を位置Ｄ’とすると、線分ＣＢ’の長さは、線分ＥＤ’の長さの２分の１である。位置Ｅと左目ＬＥとの距離の２分の１（目の間隔の略４分の１）だけずらした左目用画像ＤＬＩと、位置Ｅと右目ＲＥとの距離の２分の１（目の間隔の略４分の１）だけずらした右目用画像ＤＲＩと、から構成される３次元画像を表示すると、左目ＬＥから位置Ａに延びる視線と表示装置１００が交わる位置Ｂと、右目ＲＥから位置Ａに延びる視線と表示装置１００が交わる位置Ｂ’と、に同じ表示画像ＤＩが表示されるため、ユーザＵが鏡像ＭＩを見たとき左目ＬＥで見た表示画像ＤＩと右目ＲＥで見た表示画像ＤＩのずれを無くすことができる。なお、目の間隔の略４分の１は、ユーザＵにより視認されたとき、左目用画像ＤＬＩと右目用画像ＤＲＩとがずれないように見える範囲を含む。
【００２３】
表示制御部１１４は、ガイダンスの内容を選択するための選択肢を含んだメニュー画像、および撮像部１４０により撮像された撮像画像に関する情報に基づいて画像取得部１１３で取得された左目用画像ＤＬＩと右目用画像ＤＲＩとを表示パネル１２０に表示させる。具体的には、表示制御部１１４は、撮像部１４０により撮像されたユーザＵの顔の位置に基づいて、左目用画像ＤＬＩと右目用画像ＤＲＩとを表示する位置を調整して表示させる。
【００２４】
つぎに、以上の構成を有する表示装置１００が実行する表示処理について説明する。
【００２５】
表示装置１００は、ユーザＵによる処理を開始させる指示に応答し、図５に示す表示処理を開始する。以下、表示装置１００が実行する表示処理を、フローチャートを用いて説明する。
【００２６】
表示処理が開始すると、設定処理部１１１は、表示制御部１１４を介して表示パネル１２０にガイダンスの内容を選択するための選択肢を含んだメニュー画像を表示する（ステップＳ１０１）。ガイダンスの内容は、小顔エステ、笑顔マッサージ、メイク（化粧）等を含む。つぎに、設定処理部１１１は、メニューを参照したユーザＵから、操作部１６０を介して、ガイダンス情報の選択を受け付ける（ステップＳ１０２）。例えば、小顔エステの選択を受け付けると、小顔エステに関するガイダンスのために、表示処理が行われる。
【００２７】
つぎに、目の間隔取得部１１２は、撮像部１４０によりユーザＵの画像を撮像する（ステップＳ１０３）。つぎに、目の間隔取得部１１２は、距離センサ１５０により測定されたユーザＵまでの距離を取得する（ステップＳ１０４）。つぎに、目の間隔取得部１１２は、撮像された画像からユーザＵの目を抽出し、画像での目の間の距離を検出し、画像での目の間の距離と、距離センサ１５０により測定されたユーザＵまでの距離と、に基づいて、ユーザＵの目の間隔を取得する（ステップＳ１０５）。
【００２８】
つぎに、画像取得部１１３は、設定処理部１１１で選択されたガイダンス情報を含む表示画像ＤＩを示すデータを取得する（ステップＳ１０６）。例えば、画像取得部１１３は、設定処理部１１１で小顔エステの選択を受け付けると、小顔エステに関するガイダンスのための表示画像ＤＩを取得する。つぎに、表示制御部１１４は、撮像部１４０により撮像されたユーザＵの画像を取得し、取得した画像に写るユーザＵの顔の位置応じて、表示画像ＤＩの表示位置を調整する（ステップＳ１０７）。つぎに、画像取得部１１３は、ステップＳ１０５で取得した目の間隔に基づいて、表示画像ＤＩを左にずらした左目用画像ＤＬＩと、表示画像ＤＩを右にずらした右目用画像ＤＲＩと、を含む３次元画像データを取得する（ステップＳ１０８）。
【００２９】
つぎに、表示制御部１１４は、ステップＳ１０８で取得した左目用画像ＤＬＩと右目用画像ＤＲＩとを表示パネル１２０に表示させる（ステップＳ１０９）。つぎに、設定処理部１１１は、終了指示を受け付けたか否かを判定する（ステップＳ１１０）。終了指示を受け付けていないと判定すると（ステップＳ１１０；Ｎｏ）、ステップＳ１０１〜ステップＳ１１０を繰り返す。終了指示を受け付けたと判定されると（ステップＳ１１０；Ｙｅｓ）、表示処理を終了する。
【００３０】
つぎに、本実施の形態に係る表示装置１００が実行する表示処理を具体例に基づいて図６から図８を参照しながら説明する。
【００３１】
ユーザＵが表示処理を開始させると、設定処理部１１１は、表示パネル１２０にガイダンスの内容を選択するための選択肢を含んだメニュー画像を表示する（ステップＳ１０１；図５）。ガイダンスの内容は、小顔エステ、笑顔マッサージ、メイク（化粧）等を含む。メニューを参照したユーザＵが、小顔エステを選択すると（ステップＳ１０２；図５）、小顔エステに関するガイダンスのために、表示処理が行われる。
【００３２】
つぎに、目の間隔取得部１１２は、撮像部１４０によりユーザＵの画像を撮像し（ステップＳ１０３；図５）、距離センサ１５０により測定されたユーザＵまでの距離を取得する（ステップＳ１０４；図５）。つぎに、目の間隔取得部１１２は、撮像された画像からユーザＵの目を抽出し、画像での目の間の距離を検出し、画像での目の間の距離と、ユーザＵまでの距離と、に基づいて、ユーザＵの目の間隔を取得する（ステップＳ１０５；図５）。
【００３３】
つぎに、画像取得部１１３は、設定処理部１１１で選択された小顔エステに関するガイダンス情報を含む図６に示す表示画像ＤＩを示すデータを取得する（ステップＳ１０６；図５）。この表示画像ＤＩは、リンパを流すマッサージにより顔のむくみを減少させるリンパマッサージをガイダンスする画像である。つぎに、表示制御部１１４は、図７に示すように、撮像部１４０により撮像されたユーザＵの画像を取得し、取得した画像に写るユーザＵの顔の位置応じて、表示画像ＤＩの表示位置を調整する（ステップＳ１０７；図５）。つぎに、画像取得部１１３は、図８に示すように、ステップＳ１０５で取得した目の間隔に基づいて、表示画像ＤＩを左にずらした左目用画像ＤＬＩと、表示画像ＤＩを右にずらした右目用画像ＤＲＩと、を含む３次元画像データを取得する（ステップＳ１０８；図５）。
【００３４】
つぎに、表示制御部１１４は、ステップＳ１０８で取得した左目用画像ＤＬＩと右目用画像ＤＲＩとを表示パネル１２０に表示させる（ステップＳ１０９；図５）。このとき、図１に示すように、ユーザＵが鏡像ＭＩと同時に表示画像ＤＩを見たとしても、表示画像ＤＩをずれなく視認することができる。
【００３５】
以上のように、本実施の形態の表示装置１００によれば、目の間隔の略４分の１だけ左にずらした左目用画像ＤＬＩと、目の間隔の略４分の１だけ右ずらした右目用画像ＤＲＩと、から構成される３次元画像を表示する。これにより、左目ＬＥから位置Ａに延びる視線と表示装置１００が交わる位置Ｂと、右目ＲＥから位置Ａに延びる視線と表示装置１００が交わる位置Ｂ’と、に同じ表示画像ＤＩが表示されるため、鏡像ＭＩに表示画像ＤＩを重畳表示したとき、ユーザＵが鏡像ＭＩを見たとき左目ＬＥで見た表示画像ＤＩと右目ＲＥで見た表示画像ＤＩのずれを無くすことができる。従って本実施形態の表示装置１００は、視認性に優れる。
【００３６】
これに対し、左目ＬＲと右目ＲＥとに同じ画像を表示する表示装置では、図９に示すように、ハーフミラーで反射した鏡像ＭＩとディスプレイ装置により表示された画像とを重ねて見ると、鏡像ＭＩに着目しているとき、両眼視差により鏡像ＭＩに対する右目ＲＥで見た画像の位置ＲＩと左目ＬＥで見た画像の位置ＬＩとがずれて見える現象が生じる。このため、この表示装置は、鏡像ＭＩに表示画像を重畳表示するときに視認性に劣る。
【００３７】
（変形例）
上述の実施の形態の表示装置１００では、表示パネル１２０がレンチキュラーシート１２３を有する裸眼式の３次元ディスプレイである例について説明したが、右目ＲＥと左目ＬＲにそれぞれ異なる画像を表示できる３次元ディスプレイであれば特に限定されない。例えば、パララックスバリアを有する裸眼式の３次元ディスプレイであってもよく、その他の裸眼式の３次元ディスプレイであってもよい。また、偏光眼鏡や液晶シャッタ眼鏡などの眼鏡を併用して右目ＲＥと左目ＬＲにそれぞれ異なる画像を表示できるものであってもよい。
【００３８】
上述の実施の形態の表示装置１００では、ハーフミラー１３０が、ガラス板、樹脂板などの透明板と、透明板の片面に配置された反射膜と、を有する例について説明した。ハーフミラー１３０は、入射光の一部を反射し、他の一部を透過するものであれば特に限定されない。
【００３９】
上述の実施の形態の表示装置１００では、ユーザＵの鏡像ＭＩに重畳して、小顔エステ、笑顔マッサージ、メイク（化粧）等をガイダンスする表示画像ＤＩを表示する例について説明した。表示装置１００は、鏡像ＭＩに重畳して表示画像ＤＩを表示するものであればよく、ユーザＵの鏡像ＭＩに洋服、眼鏡、帽子などの被服および装飾品を示す表示画像ＤＩを表示してもよい。また、エアロビクスやダンスなどの体の動きをガイダンスする表示画像ＤＩを表示してもよい。この場合、表示装置１００の大きさをユーザＵの全身を写すことができる大きさにするとよい。
【００４０】
上述の実施の形態の表示装置１００では、目の間隔取得部１１２がユーザＵの目の間隔を取得した。表示装置１００は、左目用画像ＤＬＩと右目用画像ＤＲＩとをずれないように表示できればよく、表示パネル１２０に目の間隔を入力する入力画像を表示し、操作部１６０を介してユーザＵの目の間隔を示す情報を受け付けてもよい。なお、目の間隔を入力する入力画像は、左目用画像ＤＬＩと右目用画像ＤＲＩとのズレ量を入力する入力画面を含む。この場合、ユーザＵは、鏡像ＭＩを視認しながら、左目用画像ＤＬＩと右目用画像ＤＲＩとがずれないように目の間隔またはズレ量を調整する。また、表示装置１００が目の間隔取得部１１２を有さず、左目用画像ＤＬＩと右目用画像ＤＲＩの取得に用いる目の間隔として、表示装置１００のユーザ層の目の間隔の平均値を用いてもよい。ユーザ層には、子供、大人の男性、大人の女性などを含む。この場合、ユーザ層の目の間隔の平均値は、ＲＯＭに予め格納する。例えば、子供用の表示装置１００には、子供の目の間隔の平均値をＲＯＭに予め格納する。また、子供、大人の男性、大人の女性などの目の間隔をそれぞれＲＯＭに予め格納し、使用するユーザＵに合わせて切り替えて用いるようにしてもよい。
【００４１】
上述の実施の形態の表示装置１００では、目の間隔の略４分の１だけ左にずらした左目用画像ＤＬＩと、目の間隔の略４分の１だけ右ずらした右目用画像ＤＲＩと、を含む３次元画像を表示する例について説明した。表示装置１００は、左目用画像ＤＬＩと、右目用画像ＤＲＩと、のずれを無くすことができればよく、表示パネル１２０における左目用画像ＤＬＩと右目用画像ＤＲＩとの間のズレ量が、目の間隔の略２分の１であればよい。この場合、左目用画像ＤＬＩを固定して、右目用画像ＤＲＩを左目用画像ＤＬＩから目の間隔の略２分の１ずらして表示してもよく、右目用画像ＤＲＩを固定して、左目用画像ＤＬＩを右目用画像ＤＲＩから目の間隔の略２分の１ずらして表示してもよい。なお、略２分の１は、ユーザＵにより視認されたとき、左目用画像ＤＬＩと右目用画像ＤＲＩとがずれないように見える範囲を含む。
【００４２】
上述の実施の形態の表示装置１００では、左目用画像ＤＬＩと右目用画像ＤＲＩとを表示することにより、鏡像ＭＩと表示画像ＤＩとをずれなく表示する例について説明した。表示装置１００は、鏡像ＭＩと表示画像ＤＩとをずれなく表示できればよく、画像取得部１１３は、図４で示す、ハーフミラー１３０で生成された鏡像ＭＩからユーザＵまでの距離Ｌ２（ユーザＵに知覚される距離）に対応した距離に結像する画像を有する３次元画像を取得してもよい。すなわち、ハーフミラー１３０で生成され、当該ハーフミラー１３０の奥行方向において見える鏡像ＭＩが存在する仮想位置からユーザＵまでの距離Ｌ２に対応した距離に結像する画像を有する３次元画像を取得してもよい。また、さらには、図４で示す、ハーフミラー１３０で生成され、ユーザにより知覚される鏡像ＭＩの位置に結像する画像を有する３次元画像データを取得してもよい。例えば、表示パネル１２０からユーザＵの網膜にレーザ光を照射して、鏡像ＭＩからユーザＵまでの距離Ｌ２に対応した距離に結像する画像を表示してもよい。また、レーザ光を収束させた焦点において空気がプラズマ化し発光する現象を利用して３次元画像を表示することにより、鏡像ＭＩと表示画像ＤＩとをずれなく表示してもよい。
【００４３】
上述の実施の形態の表示装置１００では、撮像部１４０により撮像されたユーザＵの画像と、距離センサ１５０により測定されたユーザＵまでの距離Ｌ１と、に基づいて、ユーザＵの目の間隔を取得するようにしていたが、撮像部１４０がユーザＵの画像を撮像した際の焦点距離に基づいてユーザＵまでの距離Ｌ１を特定してもよい。つまり撮像部１４０が、撮像手段と距離測定手段との機能を備えてもよく、その場合には上述の実施形態における距離センサ１５０の構成を省略することもできる。
【００４４】
また、ＣＰＵ、ＲＡＭ、ＲＯＭ等から構成される表示装置１００が実行する送信処理、印刷処理を行う中心となる部分は、専用のシステムによらず、通常の情報携帯端末（スマートフォン、タブレットＰＣ（Personal Computer））、パーソナルコンピュータなどを用いて実行可能である。たとえば、上述の動作を実行するためのコンピュータプログラムを、コンピュータが読み取り可能な記録媒体（フレキシブルディスク、ＣＤ−ＲＯＭ（Compact Disc Read Only Memory）、ＤＶＤ−ＲＯＭ（Digital Versatile Disc Read Only Memory）等）に格納して配布し、このコンピュータプログラムを情報携帯端末などにインストールすることにより、上述の処理を実行する情報端末を構成してもよい。また、インターネット等の通信ネットワーク上のサーバ装置が有する記憶装置にこのコンピュータプログラムを格納しておき、通常の情報処理端末などがダウンロード等することで情報処理装置を構成してもよい。
【００４５】
また、表示装置１００の機能を、ＯＳ（Operating System）とアプリケーションプログラムとの分担、またはＯＳとアプリケーションプログラムとの協働により実現する場合などには、アプリケーションプログラム部分のみを記録媒体や記憶装置に格納してもよい。
【００４６】
また、搬送波にコンピュータプログラムを重畳し、通信ネットワークを介して配信することも可能である。例えば、通信ネットワーク上の掲示板（ＢＢＳ：Bulletin Board System）にこのコンピュータプログラムを掲示し、ネットワークを介してこのコンピュータプログラムを配信してもよい。そして、このコンピュータプログラムを起動し、ＯＳの制御下で、他のアプリケーションプログラムと同様に実行することにより、上述の処理を実行できるように構成してもよい。
【００４７】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
【００４８】
（付記１）
画像を表示する表示パネルと、
前記表示パネルに重ねて配置され、入射光の一部を反射し、他の一部を透過する光反射透過部材と、
右目用画像と、左目用画像と、を含む３次元画像データを取得する画像取得手段と、
前記画像取得手段で取得した前記３次元画像データが示す前記右目用画像と前記左目用画像とを前記表示パネルに表示させる表示制御手段と、を備え、
前記表示パネルにおける前記右目用画像と前記左目用画像との間のズレ量は、目の間隔の略２分の１である、
ことを特徴とする表示装置。
【００４９】
（付記２）
前記画像取得手段は、前記表示パネルにおける表示画像を目の間隔の略４分の１右にずらした前記右目用画像と、前記表示パネルにおける前記表示画像を目の間隔の略４分の１左にずらした前記左目用画像と、を含む３次元画像データを取得する、
ことを特徴とする付記１に記載の表示装置。
【００５０】
（付記３）
ユーザの画像を撮像する撮像手段を有し、
前記表示制御手段は、前記撮像手段により撮像された撮像画像に関する情報に基づいて前記画像取得手段で取得した前記３次元画像データを表示する、
ことを特徴とする付記１又は２に記載の表示装置。
【００５１】
（付記４）
ユーザの画像を撮像する撮像手段と、
ユーザまでの距離を測定する距離測定手段と、
前記撮像手段で撮像したユーザの画像と、距離測定手段で測定したユーザまでの距離と、に基づいて、ユーザの目の間隔を取得する目の間隔取得手段と、
を備えることを特徴とする付記１乃至３の何れか１つに記載の表示装置。
【００５２】
（付記５）
ユーザの目の間隔を示す情報を受け付ける操作手段を備える、
ことを特徴とする付記１乃至３の何れか１つに記載の表示装置。
【００５３】
（付記６）
前記画像取得手段は、前記光反射透過部材に写る鏡像に重畳して表示するガイダンス情報を含む表示画像を取得する、
ことを特徴とする付記１乃至５の何れか１つに記載の表示装置。
【００５４】
（付記７）
画像を表示する表示パネルと、
前記表示パネルに重ねて配置され、入射光の一部を反射し、他の一部を透過する光反射透過部材と、
３次元画像データを取得する画像取得手段と、
前記画像取得手段で取得した前記３次元画像データが示す３次元画像を前記表示パネルに表示させる表示制御手段と、を備え、
前記画像取得手段は、前記光反射透過部材で生成され、ユーザにより知覚される鏡像の位置に結像する画像を有する３次元画像データを取得する、
ことを特徴とする表示装置。
【００５５】
（付記８）
画像を表示する表示パネルと、
前記表示パネルに重ねて配置され、入射光の一部を反射し、他の一部を透過する光反射透過部材と、
を備える表示装置において、
右目用画像と、左目用画像と、を含む３次元画像データを取得する画像取得ステップと、
前記画像取得ステップで取得した前記３次元画像データが示す前記右目用画像と前記左目用画像とを前記表示パネルに表示させる表示制御ステップと、を備え、
前記表示パネルにおける前記右目用画像と前記左目用画像との間のズレ量は、目の間隔の略２分の１である、
ことを特徴とする表示方法。
【００５６】
（付記９）
画像を表示する表示パネルと、
前記表示パネルに重ねて配置され、入射光の一部を反射し、他の一部を透過する光反射透過部材と、
を備える表示装置を制御するコンピュータを、
右目用画像と、左目用画像と、を含む３次元画像データを取得する画像取得手段、
前記画像取得手段で取得した前記３次元画像データが示す前記右目用画像と前記左目用画像とを前記表示パネルに表示させる表示制御手段、として機能させ、
前記表示パネルにおける前記右目用画像と前記左目用画像との間のズレ量は、目の間隔の略２分の１である、
ことを特徴とするプログラム。
【符号の説明】
【００５７】
１００…表示装置、１１０…制御部、１１１…設定処理部、１１２…目の間隔取得部、１１３…画像取得部、１１４…表示制御部、１２０…表示パネル、１２１…バックライト、１２２…ＬＣＤ、１２２Ｌ…左目用画素ライン、１２２Ｒ…右目用画素ライン、１２３…レンチキュラーシート、１３０…ハーフミラー、１４０…撮像部、１５０…距離センサ、１６０…操作部、ＭＩ…鏡像、ＤＩ…表示画像、Ｕ…ユーザ、ＬＥ…左目、ＲＥ…右目、ＤＬＩ…左目用画像、ＤＲＩ…右目用画像
【図１】
2020098291.tif 000003
【図２】
2020098291.tif 000004
【図３】
2020098291.tif 000005
【図４】
2020098291.tif 000006
【図５】
2020098291.tif 000007
【図６】
2020098291.tif 000008
【図７】
2020098291.tif 000009
【図８】
2020098291.tif 000010
【図９】
2020098291.tif 000011